(57)【要約】      （修正有）【課題】アークシールドの外周面から電界電子が放出されることを抑制できる真空バルブを提供する。【解決手段】真空容器２と、真空容器２内に、対向に配置された一対の電極４Ａ、４Ｂと、真空容器２内に設けられ、一対の電極４Ａ、４Ｂを取り囲むアークシールド６と、真空容器２と対向するアークシールド６の面を絶縁性部材で覆っている絶縁層７と、アークシールド６の端部に設けられ、絶縁層７の端部を囲み、絶縁層７とは接触していない電界緩和シールド８とを備える。【選択図】図１
2020042906.tif 000002
【特許請求の範囲】
【請求項１】
真空容器と、
前記真空容器内に、対向に配置された一対の電極と、
前記真空容器内に設けられ、前記一対の電極を取り囲むアークシールドと、
前記真空容器に対向する前記アークシールドの面を、絶縁性部材で覆っている絶縁層と、
前記アークシールドの端部に設けられ、前記絶縁層の端部を囲み、前記絶縁層とは接触していない電界緩和シールドと、
を備えること、
を特徴とする真空バルブ。
【請求項２】
前記アークシールドの中央部分の外径は、前記アークシールドの端部の外径よりも大きく、
前記電界緩和シールドの外径は、前記アークシールドの中央部分の外径より小さいこと、
を特徴とする請求項１に記載の真空バルブ。
【請求項３】
前記絶縁性部材は、セラミックであること、
を特徴とする請求項１又は２に記載の真空バルブ。
【請求項４】
前記絶縁層は、前記アークシールドに溶射されていること、
を特徴とする請求項１乃至３の何れかに記載の真空バルブ。
【請求項５】
前記真空容器は、周囲を絶縁性樹脂で覆われていること、
を特徴とする請求項１乃至４の何れかに記載の真空バルブ。
【請求項６】
前記絶縁性樹脂は、エポキシ樹脂であること、
を特徴とする請求項５に記載の真空バルブ。
【発明の詳細な説明】
【技術分野】
【０００１】
本発明の実施形態は、真空バルブに関する。
【背景技術】
【０００２】
一般的に、固体絶縁スイッチギヤは、電路の遮断を行う遮断部を有する。この遮断部として、真空バルブが知られている。真空バルブは、セラミック製の絶縁筒と封着金具とを有する真空容器内に固定側通電棒に固定されている固定側電極と可動側通電棒に固定されている可動側電極とが対向に配置される。そして、この一対の固定側電極及び可動側電極を取り囲むように、円筒状のアークシールドが設けられている。
【０００３】
この真空バルブは、外部との絶縁を図るため、真空容器の周囲を絶縁性樹脂でモールドすることがある。絶縁性樹脂内にボイドや剥離等の欠陥が存在すると、その部分で部分放電が発生し、絶縁性樹脂が絶縁破壊を起こし、真空バルブの絶縁性能が劣化するおそれがある。そこで、このような絶縁性樹脂でモールドされた真空バルブは、製品完成後、絶縁性樹脂内にボイドや剥離等の欠陥の有無を調査するため、部分放電試験を行う必要がある。
【先行技術文献】
【特許文献】
【０００４】
【特許文献１】特開２０１４−１７２２０号公報
【発明の概要】
【発明が解決しようとする課題】
【０００５】
部分放電試験は、樹脂モールド真空バルブに電圧を印加して行う。真空バルブは、電圧が印加され、一定の電圧を超えるとアークシールドの外周面から電界電子（１次電子とも言う）が放出される。放出された電界電子は、絶縁筒に衝突する。放出された電界電子が絶縁筒に衝突すると、衝突した箇所から２次電子が放出される。この時、電界電子が衝突した部分の絶縁筒は、帯電する。
【０００６】
例えば、１つの電界電子がアークシールド６から放出され、この電界電子が絶縁筒に衝突した際、３つの２次電子を放出したとする。この場合、電界電子が衝突した絶縁筒の箇所は、プラスに帯電する。部分放電試験では、この帯電している状態を部分放電として検出してしまう。そのため、部分放電試験を行っても、絶縁性樹脂内の欠陥なのか否かを正確に判定することは困難であった。
【０００７】
また、アークシールドの外周面から放出される電界電子が繰り返し絶縁筒に衝突することで、絶縁筒の絶縁性能を劣化させるおそれもあった。
【０００８】
本実施形態では、上記課題を解決すべく、アークシールドの外周面から電界電子が放出することを抑制する真空バルブを提供することを目的とする。
【課題を解決するための手段】
【０００９】
上記課題を解決するため、本実施形態の真空バルブは、真空容器と、前記真空容器内に、対向に配置された一対の電極と、前記真空容器内に設けられ、前記一対の電極を取り囲むアークシールドと、前記真空容器と対向する前記アークシールドの面を絶縁性部材で覆っている絶縁層と、前記アークシールドの端部に設けられ、前記絶縁層の端部を囲み、前記絶縁層とは接触していない電界緩和シールドと、を備えること、を特徴とする。
【図面の簡単な説明】
【００１０】
【図１】第１の実施形態に係る真空バルブの全体構成を示す断面図である。
【図２】図１の破線の丸で囲った箇所の拡大図である。
【図３】電界緩和シールドと絶縁層を接触させた場合の拡大図である。
【図４】変形例に係る真空バルブの全体構成を示す断面図である。
【発明を実施するための形態】
【００１１】
（第１の実施形態）
以下、第１の実施形態に係る真空バルブについて図面を参照しつつ詳細に説明する。まず、第１の実施形態の真空バルブの全体構成について説明する。図１は、開路状態の真空バルブ１の全体構成を示す全体図である。真空バルブ１は、真空の中で電路の導通、遮断を行う。この真空バルブ１は、図１に示すように、真空容器２、固定側通電棒３Ａ、可動側通電棒３Ｂ、固定側電極４Ａ、可動側電極４Ｂ、ベローズ５、アークシールド６、絶縁層７及び電界緩和シールド８を備える。
【００１２】
この真空バルブ１は、概略円筒形状の真空容器２内に、一対の固定側電極４Ａと可動側電極４Ｂとが対向に配置され、可動側電極４Ｂを円筒軸Ｘに沿って移動させることで、可動側電極４Ｂと固定側電極４Ａとを接離させる。この可動側電極４Ｂが固定側電極４Ａと接触している場合には、導通となり、電路は閉路状態となる。一方、可動側電極４Ｂが固定側電極４Ａと離間すると、電流は遮断され、電路は開路状態となる。
【００１３】
真空容器２は、密閉された空間が真空である容器である。真空とは、これに限られないが、例えば、１０−２Ｐａ以下であることが望ましい。この真空容器２は、絶縁筒２１及び封着金具２２を有する。絶縁筒２１は、両端が開口した円筒形状を有する。本実施形態では、２つの絶縁筒２１を有し、互いの端部をステンレスなどによって接合している。この絶縁筒２１は、絶縁性を有する材質であり、例えば、セラミックスや硝子である。
【００１４】
封着金具２２は、絶縁筒２１の両端の開口を塞ぐ部材である。封着金具２２は、円盤形状を有する。この封着金具２２が、絶縁筒２１の両端の開口を塞ぎ、銀ろう付けされることで絶縁筒２１と封着金具２２は気密接合し、真空容器２の内部が密閉される。
【００１５】
真空容器２は、その周囲を絶縁性樹脂９で覆われている。絶縁性樹脂９は、真空バルブ１と外部との絶縁を図っている。絶縁性樹脂９として、エポキシ樹脂などを用いることができる。本実施形態では、エポキシ樹脂を用いている。
【００１６】
なお、絶縁筒２１と封着金具２２の接合箇所は電界が強くなるため、真空容器２内には内部シールド１１が、真空容器２外には外部シールド１０が設けられている。外部シールド１０は絶縁性樹脂９によって覆われている。
【００１７】
固定側通電棒３Ａ及び可動側通電棒３Ｂは、銅などの導電性を有する材質により構成された導体であり、例えば、円柱形状を有する。封着金具２２の中心は、開口しており、固定側通電棒３Ａ及び可動側通電棒３Ｂは、真空容器２外からこの開口を貫通し、固定側通電棒３Ａ及び可動側通電棒３Ｂの一方端部が、真空容器２内に延びている。固定側通電棒３Ａ及び可動側通電棒３Ｂは、絶縁筒２１の円筒軸Ｘと共通軸を有する。また、固定側通電棒３Ａ及び可動側通電棒３Ｂは、対向に配置される。
【００１８】
固定側通電棒３Ａの外径は、封着金具２２の開口の内径と概略同一径である。固定側通電棒３Ａは、封着金具２２の開口と銀ろう付けされることにより、封着金具２２に気密に固定されて支持されている。一方、可動側通電棒３Ｂの外径は、封着金具２２の開口の内径よりやや小さい。やや小さいとは、可動側通電棒３Ｂが、封着金具２２の開口を円筒軸Ｘに沿って移動できる程度に小さければよい。即ち、可動側通電棒３Ｂは、封着金具２２の開口に遊貫している。
【００１９】
ベローズ５は、伸縮可能な蛇腹状の伸縮管であり、金属等の材料からなる。このベローズ５は真空容器２内に設けられている。ベローズ５の内部は、可動側通電棒３Ｂが貫通している。ベローズ５の一方端部は、封着金具２２の開口を覆うように封着金具２２と銀ろう付けにより固定されている。即ち、ベローズ５の外径は、封着金具２２の開口の内径より大きい。一方、ベローズ５の他方端部は、可動側通電棒３Ｂと銀ろう付けにより気密に固定されている。つまり、ベローズ５は、絶縁筒２１と可動側通電棒３Ｂとに固定されることで、封着金具２２の開口から流入してくる大気をベローズ５内部に留める。これにより、真空容器２内に大気が流入することを防止でき、真空容器２内の真空が保持される。
【００２０】
ベローズ５の可動側通電棒３Ｂと接合している端部側に、ベローズカバー１２が設けられている。このベローズカバー１２は、金属粒子がベローズ５に付着することを防止する。具体的には、電流遮断時に発生するアークにより、固定側電極４Ａ及び可動側電極４Ｂの表面は蒸発し、金属粒子が発生する。この金属粒子がベローズ５に付着するとその部分に亀裂が入り、真空容器２内の真空を保つことができなくなるおそれがある。ベローズカバー１２に金属粒子を付着させることで、ベローズ５に金属粒子が付着することを防止している。
【００２１】
固定側電極４Ａ及び可動側電極４Ｂは、銅などの導電性を有する材質により構成された、例えばスパイラル電極である。スパイラル電極は、円盤状の電極で外周部から延びた複数のスリットを有することで、スリットにより部分的に区画された複数の腕部を有し、渦巻き状の形状となっている電極である。なお、固定側電極４Ａ及び可動側電極４Ｂはスパイラル電極に限らず、縦磁界電極、平板電極など種々のものが使用できる。
【００２２】
固定側電極４Ａは、真空容器２内に延びた固定側通電棒３Ａの端面と接し、銀ろう付けによって固着される。一方、可動側電極４Ｂは、可動側通電棒３Ｂの端面と接し、銀ろう付けにより固着される。即ち、固定側電極４Ａと可動側電極４Ｂは、対向に配置される。この固定側電極４Ａと可動側電極４Ｂが接離することで、電流の導通又は遮断を行う。
【００２３】
アークシールド６は、ステンレス鋼、銅又は銅クロム合金などの材質からなり、両端が開口した円筒形状を有する。アークシールド６は、真空容器２内に、固定側電極４Ａ及び可動側電極４Ｂを取り囲むように円筒軸Ｘ方向に設けられている。アークシールド６の円筒軸Ｘ方向の長さは少なくとも、固定側電極４Ａ及び可動側電極４Ｂの円筒軸Ｘ方向の厚みと固定側電極４Ａ及び可動側電極４Ｂの開路状態の隙間の距離を足した以上の長さを有する。
【００２４】
アークシールド６は、金属粒子が絶縁筒２１に付着し、絶縁性能が低下することを防止する。具体的には、電流遮断時に発生するアークにより発生する金属粒子が絶縁筒２１に付着すると真空容器２の絶縁性能は低下してしまう。アークシールド６は、電極４Ａ、４Ｂを取り囲むように設けられているので、金属粒子をアークシールド６に付着させ、絶縁筒２１に付着することを防止する。
【００２５】
絶縁層７は、アークシールド６の真空容器２の絶縁筒２１と対向する面に設けられている。換言すれば、絶縁層７は、アークシールド６の外周を覆っている。つまり、絶縁層７は円筒形状を有する。絶縁層７の両端部は、アークシールド６の両端部に達していない。つまり、絶縁層７の円筒軸Ｘ方向の長さは、アークシールド６より短い。
【００２６】
絶縁層７は、アークシールドの外周から電界電子が放出されることを抑制する。絶縁層７の材料は、セラミックを用いる。絶縁層７は、アークシールド６の外周に溶射されている。なお、絶縁層７をアークシールド６に覆わせることができれば溶射に限定されず、種々の方法で取り付けることができる。本実施形態では、絶縁層７の厚みは一定にしているが、厚みを変えて設けてもよい。
【００２７】
電界緩和シールド８は、アークシールド６の両端部に設けられている。電界緩和シールド８は、リング形状を有している。電界緩和シールド８は、アークシールド６の端部と銀ろう付けにより接合している。電界緩和シールド８は、アークシールド６と同様の材質であってもよく、異なる材質にしてもよい。
【００２８】
図２は、図１の破線の丸で囲った部分の拡大図である。図２に示すように、電界緩和シールド８は、リング形状の凹部８１を有する。この凹部８１の中に、アークシールド６の端部及び絶縁層７の端部が挿入されている。凹部８１は、アークシールド６の端部を嵌め込む嵌合部８２を有する。つまり、電界緩和シールド８の外径は、アークシールド６の外径より大きい。
【００２９】
凹部８１の底面は、アークシールド６と接触しているが、絶縁層７とは接触していない。また、凹部８１の一方側面は、アークシールド６の内周面と接触している。一方、他方側面は、絶縁層７とは接触していない。つまり、凹部８１は、アークシールド６の端部及び絶縁層７の端部を挿入すると、円筒軸Ｘ方向の断面が概略Ｌ字形状の隙間を有する。換言すれば、電界緩和シールド８は、絶縁層７の端部を非接触で囲っている。詳細は後述するが、真空状態でアークシールド６と絶縁層７が接触することで発生する電界電子をこの概略Ｌ字形上の隙間に閉じ込める。
【００３０】
（作用）
従来のように、アークシールドの外表面に絶縁層がなく電界緩和シールドもない場合、アークシールドの外表面から電界電子が放出する。具体的には、真空バルブには、電圧が印加され、一定の電圧以上になると、金属であるアークシールドの外周面から電界電子が放出する。この放出された電界電子は、アークシールドの外周面と対向する絶縁筒に向かう。そして、電界電子は、絶縁筒と衝突する。電界電子が絶縁筒に衝突すると、衝突した箇所から２次電子が放出する。この２次電子を放出する際、電界電子が衝突した箇所は、局所的に帯電する。部分放電試験の時に、この帯電を部分放電として検出してしまう。
【００３１】
しかし、本実施形態では、アークシールド６の外表面に絶縁層７を備えているので、アークシールド６の外表面から電界電子が放出することを抑制する。つまり、電界電子の放出を抑制することで、絶縁筒２１から２次電子が放出することがなくなるため、真空容器２内で部分放電が発生することを抑制できる。
【００３２】
ここで、絶縁層７をアークシールド６の外表面に備えたことにより、金属であるアークシールド６、セラミックである絶縁層７、真空の３つの媒体が重なり合う３重合点部分、所謂トリプルジャンクションＴ１（図２の丸で囲った部分）が生じてしまう。このトリプルジャンクションＴ１は、電界が非常に強くなるため、ここから電界電子が放出してしまうおそれがある。
【００３３】
そこで、本実施形態では、このトリプルジャンクションＴ１となる絶縁層７の端部を電界緩和シールド８が囲っている。即ち、トリプルジャンクションＴ１から発生した電界電子を電界緩和シールド８の凹部８１内に閉じ込める。これにより、真空容器２内に電界電子が放出することを抑制でき、部分放電の発生を抑制できる。
【００３４】
また、電界緩和シールド８は、絶縁層７と接触していない。仮に、図３に示すように、電界緩和シールド８と絶縁層７を接触させると、アークシールド６と絶縁層７と真空におけるトリプルジャンクションＴ１から放出される電界電子は、真空容器２内への放出を抑制することはできるが、新たに絶縁層７と電界緩和シールド８と真空によるトリプルジャンクションＴ２が生じるため、ここから電界電子が放出してしまう。そこで、本実施形態では、絶縁層７と電界緩和シールド８を接触させないことで、電界電子の放出を抑制している。
【００３５】
（効果）
以上のように、本実施形態の真空バルブ１は、真空容器２と、真空容器２内に、対向に配置された一対の電極４Ａ、４Ｂと、真空容器２内に設けられ、一対の電極４Ａ、４Ｂを取り囲むアークシールド６と、真空容器２と対向するアークシールド６の面を絶縁性部材で覆っている絶縁層７と、アークシールド６の端部に設けられ、絶縁層７の端部を囲み、絶縁層７とは接触していない電界緩和シールド８とを備えている。
【００３６】
これにより、アークシールド６の外周面から電界電子が放出することを抑制することができる。また、電界緩和シールド８の凹部は、絶縁層７とアークシールド６が接触している端部を囲っている。即ち、アークシールド６、絶縁層７、真空が重なるトリプルジャンクションＴ１は、凹部８１に囲われている。よって、トリプルジャンクションＴ１から発生する電界電子は、凹部８１内に閉じ込められ、この電界電子が絶縁筒２１に衝突することを抑制できる。さらに、絶縁層７と電界緩和シールド８は接触させないことで、トリプルジャンクションＴ１以外にトリプルジャンクションが形成されない。したがって、絶縁筒２１に電界電子が衝突することを抑制できるので、絶縁筒２１の絶縁破壊を抑制でき、真空バルブ１の耐久性が向上する。
【００３７】
また、電界緩和シールド８は凹部８１を有し、凹部８１にはアークシールド６の端部を嵌め込む嵌合部８２を有する。嵌合部８２があることで、アークシールド６と電界緩和シールド８の位置決めを容易に行うことができ、真空バルブ１の生産性が向上する。
【００３８】
絶縁層７を構成する絶縁性部材は、セラミックである。真空バルブ１は、製造工程において、絶縁筒２１と封着金具２２、固定側通電棒３Ａと封着金具２２などを銀ろう付けする銀ろう付け工程がある。この銀ろう付け工程では、アークシールド６の外表面に絶縁層７を溶射した後、銀ろうを加熱して溶かすため９００度近くまで真空中で加熱される。つまり、絶縁層７の絶縁性部材の融点が、銀ろう付け工程において加熱される温度より低いと絶縁層７は溶け出し、アークシールド６を覆っていない部分ができてしまい、その部分から電界電子が放出されるおそれがある。しかし、本実施形態では、銀ろう付け工程で加熱される温度より融点が高いセラミックを用いている。これにより、銀ろう付け工程を経ても絶縁層７が溶けることがなく、アークシールド６の外周面を覆うことができ、電界電子の放出を抑制することができる。
【００３９】
絶縁層７は、アークシールド６に溶射されている。つまり、絶縁層７は、アークシールド６により強固に接合される。これにより、電極４Ａ、４Ｂの接触又は離間による振動などによって剥がれ落ちることを抑制することができ、真空バルブ１の耐久性を向上させることができる。
【００４０】
真空容器２は、周囲を絶縁性樹脂９であるエポキシ樹脂で覆われている。このような真空容器２の周囲を絶縁性樹脂９で覆われている真空バルブ１は、絶縁性樹脂９内にボイドや剥離のような欠陥が存在すると、その部分で部分放電が起こり、絶縁性樹脂９の絶縁性能が劣化し、絶縁破壊を起こすおそれがある。そのため、絶縁性樹脂９内にボイドや剥離といった欠陥の有無を調べるため部分放電試験を行う。
【００４１】
この部分放電試験の際、真空容器２内においても部分放電が起こると、真空容器２内で起こった部分放電も検出してしまう。そして、検出した部分放電が真空容器２内で起きたものか、真空容器２の周囲を覆っている絶縁性樹脂９内で起こったものなのか判断することはできない。そのため、真空容器２内で部分放電が起こると、部分放電試験を適正に行うことができない。
【００４２】
しかし、本実施形態では、アークシールド６の外周面から電界電子が放出されることを抑制する。換言すれば、真空容器２内で部分放電が発生することを抑制する。これにより、部分放電試験を適正に行うことができるため、絶縁性樹脂９の欠陥を正確に判定することができ、真空バルブ１の耐久性、信頼性を向上させることができる。
【００４３】
（変形例）
変形例に係る真空バルブ１について、図面を参照しつつ説明する。図４は、変形例に係る真空バルブ１の全体構成を示す図である。変形例に係る真空バルブ１は、第１の実施形態のアークシールド６の形状が異なる。
【００４４】
具体的には、図４に示すように、円筒形状のアークシールド６の中央部分の外径は、両端部の外径よりも大きい。即ち、アークシールド６は、中央部分から両端部に向けて円筒軸Ｘと平行に延び、端部に到達する前に電極４Ａ、４Ｂが配置されている側に屈曲している。アークシールド６の端部に設けられている電界緩和シールド８の外径は、アークシールド６の中央部分の外径よりも小さい。
【００４５】
屈曲の大きさは、アークシールド６の端部に設けられているリング状の電界緩和シールド８の外径が、アークシールド６の中央部分の外径より小さくなるように屈曲していればよい。換言すれば、図４に示すように、アークシールド６の中央部分から絶縁筒２１までの距離Ｌ１より電界緩和シールド８から絶縁筒２１までの距離Ｌ２の方が長くなればよい。
【００４６】
このように、変形例では、電界緩和シールド８と絶縁筒２１までの距離は、アークシールド６の中央部分よりも絶縁筒２１までの距離が長い。電界緩和シールド８と絶縁筒２１の距離が短いと、電界が高くなり、電界緩和シールド８から電界電子が放出するおそれがある。
【００４７】
具体的には、上記のとおり、金属、セラミック、真空が重なるトリプルジャンクションＴ１は非常に電界が強くなり、これが離れるほど電界は弱くなる。つまり、電界を弱くすれば、金属から放出される電界電子を抑制することができる。そして、真空容器２内は真空状態なので、これらの距離を離して電界を弱くするためには、金属とセラミックの距離を長くする必要がある。
【００４８】
本変形例では、アークシールド６の中央部分の外径は、アークシールド６の端部の外径よりも大きく、電界緩和シールド８の外径は、アークシールド６の中央部分の外径より小さい。即ち、電界緩和シールド８と絶縁筒２１の距離は、アークシールド６の中央部分から絶縁筒２１の距離より長くなるようにしている。これにより、電界緩和シールド８が受ける電界を低くすることができるので、電界緩和シールド８から電界電子が放出することを抑制することができる。
【００４９】
（他の実施形態）
本明細書においては、本発明に係る実施形態を説明したが、この実施形態は例として提示したものであって、発明の範囲を限定することを意図していない。上記のような実施形態は、その他の様々な形態で実施されることが可能であり、発明の範囲を逸脱しない範囲で、種々の省略や置き換え、変更を行うことができる。実施形態やその変形は、発明の範囲や要旨に含まれると同様に、特許請求の範囲に記載された発明とその均等の範囲に含まれるものである。
【００５０】
本実施形態では、電界緩和シールド８はアークシールド６と別体として製造し、銀ろう付けによって、電界緩和シールド８とアークシールド６を接合させたが、これに限定されず、電界緩和シールド８とアークシールド６は一体成形であってもよい。
【００５１】
電界緩和シールド８の形状は、アークシールド６と絶縁層７と真空による３重合点であるトリプルジャンクションＴ１を囲い、トリプルジャンクションＴ１から発生する電界電子を閉じ込めることができる形状であれば、本実施形態の形状に限定されず、いかなる形状でもよい。
【符号の説明】
【００５２】
１  真空バルブ
２  真空容器
２１  絶縁筒
２２  封着金具
３Ａ  固定側通電棒
３Ｂ  可動側通電棒
４Ａ  固定側電極
４Ｂ  可動側電極
５  ベローズ
６  アークシールド
７  絶縁層
８  電界緩和シールド
９  絶縁性樹脂
１０  外部シールド
１１  内部シールド
１２  ベローズカバー
Ｔ１、Ｔ２  トリプルジャンクション
Ｘ  円筒軸
【図１】
2020042906.tif 000003
【図２】
2020042906.tif 000004
【図３】
2020042906.tif 000005
【図４】
2020042906.tif 000006